(57)【要約】【課題】原子炉格納容器内に発生する水素ガスを安全かつ低コストで処理可能な水素処理装置を提供する。【解決手段】コントローラ１５により、水素ガス吸蔵装置２の処理能力を検出しつつ、水素ガス吸蔵装置２による水素ガスの吸蔵と水素ガス吸蔵装置２からの水素ガスの放出とを繰り返す。【効果】原子力格納容器１内に発生した大量の水素ガスをバッチ方式で処理するので、水素ガス吸蔵装置２の小型化と低コスト化とを図ることができる。また、水素ガスの処理に伴ってアンモニア等の有毒物質を発生しないので、水素ガスの処理を安全に行うことができる。【選択図】図１
2010190868.tif 000002
【特許請求の範囲】
【請求項１】
原子炉格納容器外に備えられた水素ガス吸蔵装置と、吸蔵された水素ガスを放出させるために前記水素ガス吸蔵装置を加温する加温装置と、前記原子炉格納容器内の未処理ガスを前記水素ガス吸蔵装置のガス導入口に導くガス供給配管と、前記水素ガス吸蔵装置のガス排出口から排出される処理済みガスを前記原子炉格納容器内に導く戻し配管と、前記水素ガス吸蔵装置から放出される水素ガスを導く水素放出配管と、前記原子炉格納容器内の水素濃度を検出する第１の水素濃度検出センサと、前記戻し配管内を流れる処理済みガスの水素濃度を検出する第２の水素濃度検出手段と、前記水素放出配管内を流れる放出ガスの水素濃度を検出する第３の水素濃度検出手段と、前記各配管の適宜の位置に設けられた流路切替バルブと、前記加温装置及び前記流路切替バルブの駆動を制御するコントローラとを備え、
前記コントローラは、前記第１の水素濃度検出センサの検出値が予め定められた所定値以上で、前記第２及び第３の水素濃度検出センサの検出値が予め定められた所定値以下であるときには、前記加温装置を停止状態に切り替えた状態で、前記原子炉格納容器内の未処理ガスが前記ガス供給配管を通って前記水素ガス吸蔵装置のガス導入口に導かれ、かつ前記処理済みガスが前記戻し配管を通って前記原子炉格納容器内に導かれるように前記流路切替バルブを切り替えて、前記水素ガス吸蔵装置に水素ガスを吸蔵させ、
この状態から、前記第２の水素濃度検出センサの検出値が予め定められた所定値以上になったときには、前記ガス供給配管及び前記戻し配管が遮断され、かつ前記水素放出配管が開放されるように前記流路切替バルブを切り替えると共に、前記加温装置を駆動状態に切り替えて、前記水素ガス吸蔵装置に吸蔵された水素ガスを放出させ、
さらにこの状態から、前記第３の水素濃度検出センサの検出値が予め定められた所定値以下になったときには、前記加温装置を停止状態に切り替えると共に、前記原子炉格納容器内の未処理ガスが前記ガス供給配管を通って前記水素ガス吸蔵装置のガス導入口に導かれ、かつ前記処理済みガスが前記戻し配管を通って前記原子炉格納容器内に導かれるように前記流路切替バルブを切り替えて、前記水素ガス吸蔵装置に水素ガスを吸蔵させることを特徴とする原子炉格納容器の水素処理装置。
【請求項２】
前記ガス供給配管に、その上流側からミストフィルタ、ヨウ素フィルタ及び水素透過膜をこの順に備えると共に、前記水素透過膜を透過しなかったガスを前記原子炉格納容器に戻す迂回配管を設け、前記水素透過膜を透過した水素ガスを前記ガス供給配管を通して前記水素ガス吸蔵装置に導入すると共に、前記水素透過膜を透過しなかったガスを迂回配管を通して前記原子炉格納容器に戻すことを特徴とする請求項1記載の原子炉格納容器の水素処理装置。
【請求項３】
前記水素放出配管に、ミストフィルタ、ヨウ素フィルタ及びバルブ付き不活性ガスボンベを備え、前記コントローラは、前記水素放出配管への水素ガスの放出時に、前記不活性ガスボンベに備えられたバルブを開いて、前記水素放出配管内に不活性ガスを放出することを特徴とする請求項1に記載の原子炉格納容器の水素処理装置。
【請求項４】
前記水素放出配管を前記原子炉格納容器に接続し、この水素放出配管に再結合反応装置を備えると共に、この再結合反応装置に空気供給装置又は酸素供給装置を接続し、前記コントローラは、前記水素放出配管への水素ガスの放出時に、前記空気供給装置又は前記酸素供給装置に備えられたバルブを開いて、前記再結合反応装置に空気又は酸素を供給することを特徴とする請求項1に記載の原子炉格納容器の水素処理装置。
【発明の詳細な説明】
【技術分野】
【０００１】
本発明は、原子炉格納容器内に放出された水素ガスを処理するための装置に関する。
【背景技術】
【０００２】
原子炉圧力容器内の水位が低下し、燃料温度が上昇すると、燃料被覆材のジルコニウムと水蒸気が反応して水素ガスが発生し、これが原子炉格納容器内に放出される。また、圧力抑制型格納容器を採用している沸騰水型原子炉では、原子炉格納容器内の配管が万一破断した場合、破断部から放出された放射性物質が圧力抑制プールに流入するため、プール水が放射線分解されて水素ガスと酸素ガスが発生することも想定される。
【０００３】
従来、沸騰水型原子炉では、水素ガスの発生に対処するため、予め通常運転時の原子炉格納容器内の雰囲気を窒素ガスで置換して酸素ガス濃度を制限し、水素ガスの燃焼を防止している。また、ブロアで原子炉格納容器内のガスを取り出し、電気ヒータで昇温して水素ガスと酸素ガスを再結合させ、水に戻すと共に、この水を残りの気体とともにクーラーで冷却してから原子炉格納容器に戻す熱反応式再結合器を用いた可燃性ガス濃度制御系を設置している。
【０００４】
近年、外部動力を必要としない静的な水素処理方式として、水素ガスの酸化触媒を用いた再結合器が開発され、原子炉格納容器内に触媒型水素反応材からなる水素ガス濃度低減材を配置する技術が提案されている（例えば、特許文献１参照。）。
【０００５】
また、水素ガスと特異的に反応する水素吸蔵合金や酸化銅を用いて原子炉格納容器内の水素ガスを処理する技術も提案されている（例えば、特許文献２参照。）。
【０００６】
さらに、アンモニア合成触媒により水素ガスを格納容器内の窒素ガスと反応させ、アンモニアに変換して処理する技術も提案されている（例えば、特許文献３参照。）。
【先行技術文献】
【特許文献】
【０００７】
【特許文献１】特開平６−１３０１７０号公報
【特許文献２】特開平１０−２８８６９４号公報
【特許文献３】特許第４０７３０６５号公報
【発明の概要】
【発明が解決しようとする課題】
【０００８】
ところで、原子炉格納容器内において大量の水素ガスが発生しても、前述のように通常運転時において原子炉格納容器内の雰囲気が窒素ガスで置換されているために、直ちに水素ガスが燃焼する可能性は低いが、原子炉格納容器が加圧されることになるため、発生した大量の水素ガスを迅速かつ安全に処理する必要がある。
【０００９】
従来の熱反応式再結合器や特許文献１に記載の触媒型水素反応材からなる水素ガス濃度低減材を用いる方法は、水素ガスの処理に所定濃度以上の酸素ガスを要するので、雰囲気が窒素ガスで置換されており、酸素ガス濃度が低濃度に制限されている原子炉格納容器内においては、効率良く水素ガスを処理することができない。
【００１０】
また、特許文献２に記載の水素吸蔵合金や酸化銅を用いる方法は、処理できる水素ガス量が水素吸蔵合金や酸化銅の重量の数％程度に過ぎないので、仮に数トンオーダの水素ガスが原子炉格納容器内に放出された場合を想定すると、これを処理するためには、数百トンオーダの水素吸蔵合金又は酸化銅が必要となり、水素処理装置が極めて大型かつ高価なものとなる。
【００１１】
さらに、特許文献３に記載のアンモニア合成触媒を用いる方法は、水素ガスの処理に伴い、原子炉格納容器内に強アルカリ性で毒性を持つアンモニアがガスあるいは液体の状態で大量に発生するので、その後の復旧作業に大きな障害となる。
【００１２】
本発明は、かかる従来技術の問題を解決するためになされたものであり、その目的は、原子炉格納容器内に発生する水素ガスを安全かつ低コストで処理可能な水素処理装置を提供することにある。
【課題を解決するための手段】
【００１３】
本発明は、かかる課題を解決するため、第１に、原子炉格納容器外に備えられた水素ガス吸蔵装置と、吸蔵された水素ガスを放出させるために前記水素ガス吸蔵装置を加温する加温装置と、前記原子炉格納容器内の未処理ガスを前記水素ガス吸蔵装置のガス導入口に導くガス供給配管と、前記水素ガス吸蔵装置のガス排出口から排出される処理済みガスを前記原子炉格納容器内に導く戻し配管と、前記水素ガス吸蔵装置から放出される水素ガスを導く水素放出配管と、前記原子炉格納容器内の水素濃度を検出する第１の水素濃度検出センサと、前記戻し配管内を流れる処理済みガスの水素濃度を検出する第２の水素濃度検出手段と、前記水素放出配管内を流れる放出ガスの水素濃度を検出する第３の水素濃度検出手段と、前記各配管の適宜の位置に設けられた流路切替バルブと、前記加温装置及び前記流路切替バルブの駆動を制御するコントローラとを備え、
前記コントローラは、前記第１の水素濃度検出センサの検出値が予め定められた所定値以上で、前記第２及び第３の水素濃度検出センサの検出値が予め定められた所定値以下であるときには、前記加温装置を停止状態に切り替えた状態で、前記原子炉格納容器内の未処理ガスが前記ガス供給配管を通って前記水素ガス吸蔵装置のガス導入口に導かれ、かつ前記処理済みガスが前記戻し配管を通って前記原子炉格納容器内に導かれるように前記流路切替バルブを切り替えて、前記水素ガス吸蔵装置に水素ガスを吸蔵させ、
この状態から、前記第２の水素濃度検出センサの検出値が予め定められた所定値以上になったときには、前記ガス供給配管及び前記戻し配管が遮断され、かつ前記水素放出配管が開放されるように前記流路切替バルブを切り替えると共に、前記加温装置を駆動状態に切り替えて、前記水素ガス吸蔵装置に吸蔵された水素ガスを放出させ、
さらにこの状態から、前記第３の水素濃度検出センサの検出値が予め定められた所定値以下になったときには、前記加温装置を停止状態に切り替えると共に、前記原子炉格納容器内の未処理ガスが前記ガス供給配管を通って前記水素ガス吸蔵装置のガス導入口に導かれ、かつ前記処理済みガスが前記戻し配管を通って前記原子炉格納容器内に導かれるように前記流路切替バルブを切り替えて、前記水素ガス吸蔵装置に水素ガスを吸蔵させるという構成にした。
【００１４】
かかる構成によると、原子炉格納容器内の水素濃度が所定値を超えた場合には、自動的に原子炉格納容器内の未処理ガスが水素ガス吸蔵装置に導入されて、水素ガス吸蔵装置による水素ガスの吸蔵が行われる。また、この状態から、戻し配管に備えられた第２の水素濃度検出センサの検出値が予め定められた所定値以上になったときには、水素ガス吸蔵装置の水素ガス吸蔵能力が限界に達したと判断されるので、自動的に原子炉格納容器から水素ガス吸蔵装置への未処理ガスの導入が停止され、水素ガス吸蔵装置が加温されて、水素ガス吸蔵装置から吸蔵された水素ガスが放出される。さらに、この状態から、水素放出配管に備えられた第３の水素濃度検出センサの検出値が予め定められた所定値以下になったときには、水素ガス吸蔵装置の水素ガス吸蔵能力が回復したと判断されるので、再度原子炉格納容器から水素ガス吸蔵装置への未処理ガスの導入が行われる。
【００１５】
本発明は第２に、前記第１の原子炉格納容器の水素処理装置において、前記ガス供給配管に、その上流側からミストフィルタ、ヨウ素フィルタ及び水素透過膜をこの順に備えると共に、前記水素透過膜を透過しなかったガスを前記原子炉格納容器に戻す迂回配管を設け、前記水素透過膜を透過した水素ガスを前記ガス供給配管を通して前記水素ガス吸蔵装置に導入すると共に、前記水素透過膜を透過しなかったガスを迂回配管を通して前記原子炉格納容器に戻すという構成にした。
【００１６】
かかる構成によると、原子炉格納容器からの未処理ガスを直接水素ガス吸蔵装置に導入するのではなく、水素透過膜を透過した水素ガスだけを水素ガス吸蔵装置に導入するので、水素ガス吸蔵装置による水素吸蔵効率を高めることができ、原子炉格納容器内に発生した水素ガスを迅速に処理することができる。また、ガス供給配管にミストフィルタ及びヨウ素フィルタを備えるので、下流側の放射能汚染を軽減することができる。
【００１７】
本発明は第３に、前記第１の原子炉格納容器の水素処理装置において、前記水素放出配管に、ミストフィルタ、ヨウ素フィルタ及びバルブ付き不活性ガスボンベを備え、前記コントローラは、前記水素放出配管への水素ガスの放出時に、前記不活性ガスボンベに備えられたバルブを開いて、前記水素放出配管内に不活性ガスを放出するという構成にした。
【００１８】
かかる構成によると、水素放出配管に不活性ガスボンベを備え、水素放出配管への水素ガスの放出時に当該水素放出配管内に不活性ガスを放出するので、水素放出配管を通る水素ガスの濃度を不活性ガスにて希釈することができる。よって、高濃度の水素ガスが直接外部に放出されず、その燃焼を防止できる。
【００１９】
本発明は第４に、前記第１の原子炉格納容器の水素処理装置において、前記水素放出配管を前記原子炉格納容器に接続し、この水素放出配管に再結合反応装置を備えると共に、この再結合反応装置に空気供給装置又は酸素供給装置を接続し、前記コントローラは、前記水素放出配管への水素ガスの放出時に、前記空気供給装置又は前記酸素供給装置に備えられたバルブを開いて前記再結合反応装置に空気又は酸素を供給するという構成にした。
【００２０】
かかる構成によると、原子炉格納容器に接続された水素放出配管に再結合反応装置を備えるので、水素ガス吸蔵装置から放出された水素ガスを再結合反応装置にて水蒸気に変換して原子炉格納容器に戻すことができ、非凝縮性ガスである水素ガスの大量発生によって高まった原子炉格納容器内の圧力を早期に減圧することができる。
【発明の効果】
【００２１】
本発明によると、原子力格納容器内に発生した大量の水素ガスをバッチ方式で処理できるので、水素ガス吸蔵装置の小型化と低コスト化を図ることができると共に、水素ガスの処理に伴ってアンモニア等の有毒物質を発生しないので、水素ガスの処理を安全に行うことができる。
【図面の簡単な説明】
【００２２】
【図１】実施例１に係る水素処理装置の配管系統図である。
【図２】実施例１に係る水素処理装置のコントローラによる制御手順を示すフローチャートである。
【図３】実施例１に係る水素処理装置を備えた場合の原子炉格納容器の水素濃度変化を示すグラフ図である。
【図４】実施例２に係る水素処理装置の配管系統図である。
【図５】実施例３に係る水素処理装置の配管系統図である。
【図６】実施例４に係る水素処理装置の配管系統図である。
【発明を実施するための形態】
【００２３】
以下、本発明に係る原子炉格納容器の水素処理装置の実施形態を、各実施例毎に図面を用いて説明する。
【実施例１】
【００２４】
図１に示すように、本例の水素処理装置は、原子炉格納容器１と、原子炉格納容器１の外部に備えられた水素ガス吸蔵装置２と、吸蔵された水素ガスを放出させるために水素ガス吸蔵装置２を加温する加温装置３と、原子炉格納容器１内の未処理ガスを水素ガス吸蔵装置２のガス導入口に導くガス供給配管４と、水素ガス吸蔵装置２のガス排出口から排出される処理済みガスを原子炉格納容器１内に導く戻し配管５と、水素ガス吸蔵装置２から放出される水素ガスを循環させる循環配管６と、この循環配管６から分岐された水素放出配管７と、原子炉格納容器１内の水素濃度を検出する第１の水素濃度検出センサ８と、戻し配管５内を流れる処理済みガスの水素濃度を検出する第２の水素濃度検出手段９と、循環配管６内を流れる循環ガスの水素濃度を検出する第３の水素濃度検出手段１０と、水素ガス吸蔵装置２のガス排出口側に備えられたブロア１１と、水素ガス吸蔵装置２のガス導入口をガス供給配管４側又は循環配管６側に切り替える第１の流路切替バルブ１２と、水素ガス吸蔵装置２のガス排出口を戻し配管５側又は循環配管６側に切り替える第２の流路切替バルブ１３と、水素放出配管７を開閉する第３の流路切替バルブ１４と、加温装置３、ブロア１１及び流路切替バルブ１２，１３，１４の駆動を制御するコントローラ１５とから主に構成されている。
【００２５】
水素ガス吸蔵装置２としては、水素吸蔵合金を利用したものや酸化銅を利用したものなどを用いることができるが、以下においては、水素吸蔵合金を利用したものを用いた場合を例にとって説明する。
【００２６】
コントローラ１５の入力端子には、第１乃至第３の水素濃度検出センサ８，９，１０の検出信号が入力され、コントローラ１５の出力端子は、加温装置３、ブロア１１及び流路切替バルブ１２，１３，１４に接続されている。このコントローラ１５は、少なくとも原子炉格納容器１内に水素ガスが大量発生した段階において、第１乃至第３の水素濃度検出センサ８，９、１０からの検出信号の取り込みと、加温装置３及び流路切替バルブ１２，１３，１４の駆動状態の認識とを開始し、図２に示す手順にしたがって、原子炉格納容器１内に発生した水素ガスの処理を行う。
【００２７】
即ち、コントローラ１５を起動した後、第１の水素濃度検出センサ８の検出値が予め定められた所定値以上で、第２及び第３の水素濃度検出センサ９，１０の検出値が予め定められた所定値以下になった場合には、加温装置３を停止状態に保ったまま、第１の流路切替バルブ１２をガス供給配管４側に切り替え、第２の流路切替バルブ１３を戻し配管５側に切り替え、かつブロア１１を起動する。これにより、図１（ａ）に示すように、原子炉格納容器１内の未処理ガスがガス供給配管４を通って水素ガス吸蔵装置２のガス導入口に導かれ、水素ガス吸蔵装置２を出た処理済みガスが戻し配管５を通って原子炉格納容器１内に導かれて、水素ガス吸蔵装置２による水素ガスの吸蔵が行われる。
【００２８】
水素ガス吸蔵装置２内においては、下記の反応式（１）にしたがって、水素吸蔵合金に水素ガスが吸蔵される。水素吸蔵合金は、圧力を上げるか、温度を室温程度まで冷やすことによって水素が吸蔵されるので、このときには加温装置３を停止する。
【化１】
2010190868.tif 000003
【００２９】
水素吸蔵合金の水素ガス吸蔵量が増加すると、水素ガス吸蔵装置２の処理能力が低下するので、水素ガス吸蔵装置２を通過して戻し配管５に流入する水素ガス量が増加する。そして、戻し配管５に備えられた第２の水素濃度検出センサ９の検出値が予め定められた所定値以上になったときには、第１の流路切替バルブ１２及び第２の流路切替バルブ１３をそれぞれ循環配管６側に切り替え、かつ第３の流路切替バルブ１４を開状態に切り替えると共に、加温装置３を駆動状態に切り替える。加温装置３は、水素ガス吸蔵装置２を２００℃程度まで加熱する。
【００３０】
水素ガス吸蔵装置２を２００℃程度まで加熱すると、下記の反応式（２）にしたがって、水素吸蔵合金に吸蔵されていた水素ガスが放出される。
【化２】
2010190868.tif 000004
【００３１】
水素ガス吸蔵装置２から放出された水素ガスは、図１（ｂ）に示すように、循環配管６を循環しながら、水素放出配管７を通って外部に放出される。
【００３２】
水素吸蔵合金から水素ガスが放出されると、それに伴って、水素ガス吸蔵装置２の処理能力が回復すると共に、循環配管６及び水素放出配管７内を流れるガス中の水素濃度が低下する。そして、循環配管６に備えられた第３の水素濃度検出センサ１０の検出値が予め定められた所定値以上になったときには、加温装置３を停止状態に切り替えると共に、第１の流路切替バルブ１２をガス供給配管４側に切り替え、第２の流路切替バルブ１３を戻し配管５側に切り替え、かつ第３の流路切替バルブ１４を閉状態に切り替える。これにより、回路構成が再度図１（ａ）に示すものとなり、水素ガス吸蔵装置２による水素ガスの吸蔵が開始される。
【００３３】
本例の水素処理装置は、水素ガス吸蔵装置２の処理能力を検出しつつ、水素ガス吸蔵装置２による水素ガスの吸蔵と水素ガス吸蔵装置２からの水素ガスの放出とを繰り返すので、原子力格納容器１内に発生した大量の水素ガスをバッチ方式で処理することができ、水素ガス吸蔵装置２の小型化と低コスト化とを図ることができて、図３に示すように、原子炉格納容器１内における水素濃度を段階的に低減することができる。また、本例の水素処理装置は、水素ガスの処理に伴ってアンモニア等の有毒物質を発生しないので、水素ガスの処理を安全に行うことができる。
【実施例２】
【００３４】
図４に示すように、本例の水素処理装置は、ガス供給配管４に、その上流側からミストフィルタ１６、ヨウ素フィルタ１７及び水素透過膜１８をこの順に備えると共に、水素透過膜１８を透過しなかったガスを原子炉格納容器１に戻す迂回配管１９を設けたことを特徴とする。ミストフィルタ１６としては、水分粒子の慣性衝突等を利用したものを適用できる。また、ヨウ素フィルタ１７としては、チャコールフィルタや、銀とヨウ素が化合物を生成する反応を利用した銀フィルタを適用できる。さらに、水素透過膜１８としては、シリコンゴム製の透過膜やセラミック膜、それに水素透過金属等を適用できる。その他については、実施例１に係る水素処理装置と同じであるので、対応する部分に同一の符号を付して説明を省略する。
【００３５】
本例の水素処理装置によると、原子炉格納容器１からの未処理ガスを直接水素ガス吸蔵装置２に導入するのではなく、水素透過膜１８を透過した水素ガスだけを水素ガス吸蔵装置２に導入するので、水素ガス吸蔵装置２による水素吸蔵効率を高めることができ、原子炉格納容器１内に発生した水素ガスを迅速に処理することができる。また、ガス供給配管４にミストフィルタ１６及びヨウ素フィルタ１７を備えるので、下流側の放射能汚染を軽減することができる。
【００３６】
なお、実施例２では、ガス供給配管４にミストフィルタ１６、ヨウ素フィルタ１７及び水素透過膜１８を備えたが、このうちの少なくとも１つを備える構成にすることも可能である。
【実施例３】
【００３７】
図５に示すように、本例の水素処理装置は、水素放出配管７とつながる循環配管６に、ミストフィルタ１６、ヨウ素フィルタ１７及びバルブ付き不活性ガスボンベ２０を備えたことを特徴とする。コントローラ１５は、水素放出配管７への水素ガスの放出時に、不活性ガスボンベ２０に備えられたバルブを開いて、循環配管６に不活性ガスを放出する。その他については、実施例１に係る水素処理装置と同じであるので、対応する部分に同一の符号を付して説明を省略する。
【００３８】
本例の水素処理装置によると、水素放出配管７とつながる循環配管６に不活性ガスボンベ２０を備え、水素放出配管７への水素ガスの放出時に循環配管６にボンベ２０内の不活性ガスを放出するので、水素放出配管７を通る水素ガスの濃度を不活性ガスにて希釈することができる。よって、高濃度の水素ガスが直接外部に放出されることを防止できて、その燃焼を防止できる。
【実施例４】
【００３９】
図６に示すように、本例の水素処理装置は、水素放出配管７を原子炉格納容器１に接続し、この水素放出配管７に再結合反応装置２１を備えると共に、この再結合反応装置２１に空気供給装置又は酸素供給装置２２を接続したことを特徴とする。コントローラ１５は、水素放出配管７への水素ガスの放出時に、空気供給装置又は酸素供給装置２２に備えられたバルブを開いて、再結合反応装置２１に空気又は酸素を供給する。再結合反応装置２１としては、熱反応式のものや、酸化触媒を適用することができる。その他については、実施例１に係る水素処理装置と同じであるので、対応する部分に同一の符号を付して説明を省略する。
【００４０】
本例の水素処理装置によると、原子炉格納容器１に接続された水素放出配管７に再結合反応装置２１を備えるので、水素ガス吸蔵装置２から放出された水素ガスを再結合反応装置２１にて水蒸気に変換して原子炉格納容器１に戻すことができる。よって、非凝縮性ガスである水素ガスの大量発生によって高まった原子炉格納容器１内の圧力を早期に減圧することができる。
【産業上の利用可能性】
【００４１】
本発明は、原子炉格納容器内に放出された水素の除去に適用することができる。
【符号の説明】
【００４２】
１    原子炉格納容器
２    水素ガス吸蔵装置
３    加温装置
４    ガス供給配管
５    戻し配管
６    循環配管
７    水素放出配管
８    第１の水素濃度検出センサ
９    第２の水素濃度検出手段
１０    第３の水素濃度検出手段
１１    ブロア
１２    第１の流路切替バルブ
１３    第２の流路切替バルブ
１４    第３の流路切替バルブ
１５    コントローラ
１６    ミストフィルタ
１７    ヨウ素フィルタ
１８    水素透過膜
１９    迂回配管１９
２０    不活性ガスボンベ
２１    再結合反応装置
２２    空気供給装置又は酸素供給装置
【図１】
2010190868.tif 000005
【図２】
2010190868.tif 000006
【図３】
2010190868.tif 000007
【図４】
2010190868.tif 000008
【図５】
2010190868.tif 000009
【図６】
2010190868.tif 000010